(57)【特許請求の範囲】
【請求項１】
板金製の器具本体に板金製の反射笠を止め金具にて取り付けた照明器具であって、止め金具は、器具本体に電気的に導通して接触するテーパー部からなる本体用アース爪と、止め金具の傾斜面に形成された反射笠用アース爪とを備え、反射笠が止め金具に押圧された時に、本体用アース爪が器具本体の塗装を剥がすようにして器具本体に係止され且つ反射笠用アース爪が反射笠の塗装を剥がすようにして反射笠に係止されることにより、止め金具によって器具本体と反射笠とを電気的に導通して反射笠のアースをおこなって成ることを特徴とする照明器具。
【請求項２】
本体用アース爪と反射笠用アース爪とを兼用化して成ることを特徴とする請求項１記載の照明器具。
【発明の詳細な説明】
【０００１】
【発明の属する技術分野】
本発明は、照明器具に関し、詳しくは、反射笠のアースを容易におこなおうとする技術に係るものである。
【０００２】
【従来の技術】
従来、器具本体に反射笠を付設した照明器具においては、器具本体はアースされているが、反射笠はアースされていないものであった。
【０００３】
【発明が解決しようとする課題】
ところで、反射笠をアースする場合に、特別なアース構造が必要となり、反射笠の外観を低下させることがあるという問題があった。
【０００４】
本発明はこのような問題に鑑みてなされたものであり、反射笠を器具本体に取り付け止め金具を有効に利用することで、反射笠のアースを外観を低下させることなく容易におこなうことができる照明器具を提供することを課題とするものである。
【０００５】
【課題を解決するための手段】
請求項１においては、板金製の器具本体１に板金製の反射笠２を止め金具３にて取り付けた照明器具であって、止め金具３は、器具本体１に電気的に導通して接触するテーパー部４ａからなる本体用アース爪４と、止め金具３の傾斜面に形成された反射笠用アース爪５とを備え、反射笠２が止め金具３に押圧された時に、本体用アース爪４が器具本体１の塗装を剥がすようにして器具本体１に係止され且つ反射笠用アース爪５が反射笠２の塗装を剥がすようにして反射笠に係止されることにより、止め金具３によって器具本体１と反射笠２とを電気的に導通して反射笠２のアースをおこなっていることを特徴とするものである。このような構成によれば、反射笠２を器具本体１に取り付ける止め金具３を有効に利用することで、反射笠２を器具本体１に電気的に導通してアースをとることができ、反射笠２をアースする際に、別な構成を加えなくてもよく、又、アースをおこなう止め金具３が見えることがなく、アースをおこなう構成によって反射笠２の外観の低下を回避することができる。
【０００６】
また請求項１においては、止め金具３には、器具本体１に電気的に導通して接触する本体用アース爪４と反射笠用アース爪５とを備えているので、止め金具３の本体用アース爪４が器具本体１に、反射笠用アース爪５が反射笠２に係止されて器具本体１及び反射笠２とのがたつきを防止することができる。
【０００７】
この場合、本体用アース爪４及び反射笠用アース爪５が器具本体１及び反射笠２の塗装を剥離しても、この剥離した箇所は止め金具３とともに隠れていて外観を低下させることがない。
【０００８】
請求項２においては、本体用アース爪４と反射笠用アース爪５とを兼用化していることを特徴とするものである。このような構成によれば、一層、構成を簡素化できてよい。
【０００９】
【発明の実施の形態】
以下、本発明の実施の形態を説明する。図１は分解斜視図である。図２は組み立て状態の一部破断した側面図である。
【００１０】
照明器具Ａは、板金製の器具本体１に端子台６及び他の機器が取り付けられ、端子台６に電気的に接続されたソケット７を備えた灯具保持具８が取り付けられ、又、器具本体１には板金製の反射笠２が着脱自在に取り付けられ、器具本体１は端子台６のアース端子に電気的に接続されてアースがなされている。
【００１１】
下方が開放された箱形の器具本体１の開口の両側縁部１１、１１に切欠き９、９を対向させて形成している。金属の帯板製の止め金具３の両端部にフック１０を形成している。しかして、器具本体１の両側縁部１１、１１を握って側縁１１、１１間の間隔を小さくしてフック１０、１０を切欠き９、９に挿入することで止め金具３を器具本体１に取り付けている。
【００１２】
止め金具３にはスリット状の係止孔１２が形成されている。ラッチ１３には係入片１４が形成され係入片１４の両縁部に係止脚１５、１５が形成されている。しかして、係止脚１５、１５を弾性変形させて係入片１４を係止孔１２に係入し、係止脚１５、１５の弾性的な復元によって抜止めを図ってラッチ１３を止め金具３に回転自在に取り付けている。
【００１３】
ラッチ１３には円板１６が形成されるとともに摘み片１７が形成されている。反射笠２には取付け孔１８が形成されている。しかして、止め金具３に取付けているラッチ１３を回転させて摘み片１７を器具本体１の長さ方向に向けた状態で、反射笠２の取付け孔１８を摘み片１７に係入し、その後、ラッチ１３を回転させて摘み片１７を取付け孔１８に交差させることで反射笠２の抜止めを図って反射笠２を器具本体１に着脱自在に取付けている。
【００１４】
本発明においては、上記止め金具３を有効に利用して反射笠２を器具本体１に電気的に接続して反射笠２をアースするのであり、以下、詳述する。
【００１５】
図１及び図３に示すように、止め金具３の両側部には孔１９が打ち抜かれて本体用アース爪４を形成している。本体用アース爪４には打ち抜きにてテーパー部４ａを形成している。この場合、テーパー部４ａは器具本体１の側縁部１１の内縁部１１ａを底面視において跨ぐ状態になっている。しかして、止め金具３を器具本体１に取り付けた状態で本体用アース爪４を折り曲げることで、テーパー部４ａにおいて板金製の器具本体１の内縁部１１ａの塗装を剥がして止め金具３を器具本体１に電気的に接続し、又、かしめ作用によって強固に取り付けるのである。
【００１６】
図５（ｂ）に示すように、止め金具３における傾斜面２０に孔２１が打ち抜かれて切り起こしによって反射笠用アース爪５、５を形成している。しかして、摘み片１７によって反射笠２が止め金具３に押圧され、この時、反射笠用アース爪５、５に反射笠２の裏面が押圧されて塗装が剥がされ、反射笠２が止め金具３に電気的に接続され、反射笠２のアースが止め金具３を利用することでおこなわれるのである。
【００１７】
図７、図８及び図９は端子台６を器具本体１に取り付ける構成を示していて、端子台６の両側端部を保持している二股状の取付け爪２２、２２を器具本体１の切欠き孔２３に係入して孔２３の両縁部に係止し、端子台６を器具本体１に取り付けるのである。この場合、折り曲げられた切り起こし片２４が取付け爪２２の上部に位置して取付け爪２２を器具本体１の背面（上方）からの力に対して保護して取付け爪２２の外れを防止するのである。又、折り曲げられた切り起こし片２４を存在させていることから、切り起こし片２４が他物に当たって器具本体１の背面（上面）を保護するのである。更に、切欠き孔２３の長さを小に抑えて取付け爪２２が係止する場合の支持強度を高めている。この場合、切欠き孔２３の縁部にバリを立ち上げて切欠き孔２３の縁部の強度を高めて、取付け爪２２に対する取付け強度を高めるようにしてもよい。又、端子台６のアース端子に接続されている舌片２７が器具本体１の孔２８に挿入されて孔２８の縁部の塗装を剥がして器具本体１のアースを図るようにしている。符号２９は器具本体１に内方より凹入して形成されているダボであり、切欠き孔２３の縁部の強度を高めるとともに端子台６の上面に当接して端子台６の安定的な取付けを図っている。
【００１８】
このように本発明においては、止め金具３によって器具本体１と反射笠２とを電気的に導通して反射笠２のアースをおこなっているのであり、反射笠２を器具本体１に取り付ける止め金具３を有効に利用することで、反射笠２を器具本体１に電気的に導通してアースをとることができ、反射笠２をアースする際に、別な構成を加えなくてもよく、又、アースをとるための止め金具３が見えることがなく、反射笠２の外観の低下を回避することができるのである。
【００１９】
この場合、止め金具３には、器具本体１に電気的に導通して接触する本体用アース爪４と反射笠用アース爪５とを備えていて、止め金具３の本体用アース爪４が器具本体１に、反射笠用アース爪５が反射笠２に係止されて器具本体１及び反射笠２とのがたつきを防止することができるのである。更に、本体用アース爪４及び反射笠用アース爪５が器具本体１及び反射笠２の塗装を剥離しても、止め金具３とともに隠れていて外観を低下することがない。
【００２０】
図１０及び図１１は止め金具３の他の実施の形態を示し、但し、本実施の形態の基本構成は上記実施の形態と共通であり、共通する部分には同一の符号を付して説明は省略する。
【００２１】
本実施の形態においては、止め金具３に孔１９の打ち抜きにて形成する本体用アース爪４に突爪２５を形成して同図（ｃ）に示す曲げ位置２６で折り曲げる場合に、突爪２５が孔１９より下方に突出して反射笠用アース爪４を兼用化するものである。
【００２２】
本実施の形態においては、本体用アース爪４と反射笠用アース爪５とを兼用化していて、一層、構成を簡素化できてよい。
【００２３】
図１２は止め金具３の更に他の実施の形態を示し、但し、本実施の形態の基本構成は上記実施の形態と共通であり、共通する部分には同一の符号を付して説明は省略する。
【００２４】
本実施の形態においては、止め金具３の端部に切り込みを設けて曲げることで反射笠用アース爪５を形成している。
【００２５】
【発明の効果】
請求項１においては、板金製の器具本体に板金製の反射笠を止め金具にて取り付けた照明器具であって、止め金具は、器具本体に電気的に導通して接触するテーパー部からなる本体用アース爪と、止め金具の傾斜面に形成された反射笠用アース爪とを備え、反射笠が止め金具に押圧された時に、本体用アース爪が器具本体の塗装を剥がすようにして器具本体に係止され且つ反射笠用アース爪が反射笠の塗装を剥がすようにして反射笠に係止されることにより、止め金具によって器具本体と反射笠とを電気的に導通して反射笠のアースをおこなっているから、反射笠を器具本体に取り付ける止め金具を有効に利用することで、反射笠を器具本体に電気的に導通してアースをとることができ、反射笠をアースする際に、別な構成を加えなくてもよく、又、アースをおこなう止め金具が見えることがなく、反射笠の外観の低下を回避することができるという利点がある。
【００２６】
また請求項１においては、止め金具には、器具本体に電気的に導通して接触する本体用アース爪と反射笠用アース爪とを備えているから、止め金具の本体用アース爪が器具本体に、反射笠用アース爪が反射笠に係止されて器具本体及び反射笠とのがたつきを防止することができるという利点がある。
【００２７】
請求項２においては、請求項１の効果に加えて、本体用アース爪と反射笠用アース爪とを兼用化しているから、一層、構成を簡素化できてよい。
【図面の簡単な説明】
【図１】本発明の実施の一形態の部分分解斜視図である。
【図２】同上の組み立て状態の一部破断した側面図である。
【図３】同上の止め金具を示し、（ａ）は底面図、（ｂ）は側面図である。
【図４】同上の止め金具の本体用アース爪を折り曲げた状態を示し、（ａ）は底面図、（ｂ）は側面図である。
【図５】同上の止め金具の主として反射笠用アース爪を示し、（ａ）は側面図、（ｂ）は拡大側面図、（ｃ）は底面図である。
【図６】同上の取り付け状態を示す側断面図である。
【図７】同上の器具本体に端子台を取り付けた側断面図である。
【図８】（ａ）は器具本体に端子台を取り付けた底面図、（ｂ）は端子台の側面図である。
【図９】（ａ）は器具本体の部分底面図、（ｂ）は折り起こし片の側面図、（ｃ）は折り起こし片の正面図である。
【図１０】同上の止め金具の他の実施の形態を示し、（ａ）は底面図、（ｂ）は側面図、（ｃ）は（ａ）の部分拡大図である。
【図１１】同上の本体用アース爪と反射笠用アース爪とを兼ねた導通爪を折り曲げた状態を示し、（ａ）は底面図、（ｂ）は側面図である。
【図１２】同上の止め金具の更に他の実施の形態を示し、（ａ）は底面図、（ｂ）は側面図である。
【符号の説明】
１  器具本体
２  反射笠
３  止め金具
４  本体用アース爪
５  反射笠用アース爪
【図１】
0004045788.tif 000002
【図２】
0004045788.tif 000003
【図３】
0004045788.tif 000004
【図４】
0004045788.tif 000005
【図５】
0004045788.tif 000006
【図６】
0004045788.tif 000007
【図７】
0004045788.tif 000008
【図８】
0004045788.tif 000009
【図９】
0004045788.tif 000010
【図１０】
0004045788.tif 000011
【図１１】
0004045788.tif 000012
【図１２】
0004045788.tif 000013